(57)【特許請求の範囲】
【請求項１】
四角枠状に形成された印刷版フレームと、この印刷版フレームに着脱可能に取付けられる外周辺をほぼ直角に折り曲げ形成された取付片を有する印刷パターンが形成されたメタルマスクと、前記印刷版フレームの各枠辺に形成された前記メタルマスクの取付片が挿入固定される挟着片が挿入された長溝状の挟着片挿入溝と、前記印刷版フレームの一方の縦枠辺および横枠辺に形成された前記挟着片挿入溝と連通するように内側部位に形成された長孔状のロック装置挿入溝と、このロック装置挿入溝の内側壁面にそれぞれスライド移動可能に取付けられた外側面に山形あるいはノコ歯状の噛み合い片を有するスライド部材と、このスライド部材の噛み合い片とそれぞれ噛み合う山形あるいはノコ歯状の噛み合い片が形成された前記ロック装置挿入溝内を外側方向にスライド移動して外側面が前記挟着片を外側方向に押し圧してメタルマスクの取付片を固定するスライド固定部材と、前記スライド部材をそれぞれ所定位置までスライド移動させて固定する少なくとも１個以上のロック装置とからなることを特徴とするメタルマスク印刷版。
【請求項２】
四角枠状に形成された印刷版フレームと、この印刷版フレームに着脱可能に取付けられる外周辺をほぼ直角に折り曲げ形成された取付片を有する印刷パターンが形成されたメタルマスクと、前記印刷版フレームの各枠辺に形成された前記メタルマスクの取付片が挿入固定される挟着片が挿入された長溝状の挟着片挿入溝と、前記印刷版フレームの一方の縦枠辺および横枠辺に形成された前記挟着片挿入溝と連通するように内側部位に形成された長孔状のロック装置挿入溝と、このロック装置挿入溝の内側壁面にそれぞれスライド移動可能に取付けられた外側面に山形あるいはノコ歯状の噛み合い片を有するスライド部材と、このスライド部材の噛み合い片とそれぞれ噛み合う山形あるいはノコ歯状の噛み合い片が形成された前記ロック装置挿入溝内を外側方向にスライド移動して外側面が前記挟着片を外側方向に押し圧してメタルマスクの取付片を固定するスライド固定部材と、前記スライド部材の端部位置の前記印刷版フレームに該スライド部材をそれぞれスライド移動できるように取付けられた回転可能な偏心カム、この偏心カムを所定位置に固定する固定具とからなるロック装置とを備えることを特徴とするメタルマスク印刷版。
【請求項３】
四角枠状に形成された印刷版フレームと、この印刷版フレームに着脱可能に取付けられる外周辺をほぼ直角に折り曲げ形成された取付片を有する印刷パターンが形成されたメタルマスクと、前記印刷版フレームの各枠辺に形成された前記メタルマスクの取付片が挿入固定される挟着片が挿入された長溝状の挟着片挿入溝と、前記印刷版フレームの一方の縦枠辺および横枠辺に形成された前記挟着片挿入溝と連通するように内側部位に形成された長孔状のロック装置挿入溝と、このロック装置挿入溝の内側壁面にそれぞれスライド移動可能に取付けられた外側面に山形あるいはノコ歯状の噛み合い片を有するスライド部材と、このスライド部材の噛み合い片とそれぞれ噛み合う山形あるいはノコ歯状の噛み合い片が形成された前記ロック装置挿入溝内を外側方向にスライド移動して外側面が前記挟着片を外側方向に押し圧してメタルマスクの取付片を固定するスライド固定部材と、前記スライド部材の端部位置の前記印刷版フレームに該スライド部材をそれぞれスライド移動できるように取付けられた電磁ソレノイドあるいはシリンダー装置を用いたロック装置とからなることを特徴とするメタルマスク印刷版。
【発明の詳細な説明】
【０００１】
【発明の属する技術分野】
本発明は高寸法精度の印刷に使用されるメタルマスクを用いるメタルマスク印刷版に関する。
【０００２】
【従来の技術】
従来のメタルマスク印刷版はメタルマスクに弾性力がないため、印刷版フレームに紗を取付けたスクリーン印刷版本体を用いて、紗のほぼ中央部に印刷パターンが形成されたメタルマスクを接着剤によって接着固定し、しかる後、メタルマスク部位の紗を除去し、メタルマスクの外周部の紗に感光乳剤を塗布して露光し紗の孔埋めを行なって形成している。
【０００３】
【発明が解決しようとする課題】
従来のメタルマスク印刷版はメタルマスクを印刷版フレームに取付ける作業が大変で、手数がかかり、コスト高になるという欠点があるとともに、メタルマスクを印刷版フレームに取付けた状態でメタルマスク印刷版の製造メーカーから印刷メーカーヘ輸送しなければならず、輸送作業に手数がかかるとともに、輸送コストが高くなるという欠点があった。
【０００４】
本発明は以上のような従来の欠点に鑑み、メタルマスクを印刷版フレームに着脱可能な取付けで、メタルマスクに弾性力を付与した状態で、簡単に短時間に取付け、取り外しすることができ、印刷メーカーにはメタルマスクだけを輸送することができる、製造、取付け、取り外しおよび輸送が容易で、低コストで行なうことができるメタルマスク印刷版を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は四角枠状に形成された印刷版フレームと、この印刷版フレームに着脱可能に取付けられる外周辺をほぼ直角に折り曲げ形成された取付片を有する印刷パターンが形成されたメタルマスクと、前記印刷版フレームの各枠辺に形成された前記メタルマスクの取付片が挿入固定される挟着片が挿入された長溝状の挟着片挿入溝と、前記印刷版フレームの一方の縦枠辺および横枠辺に形成された前記挟着片挿入溝と連通するように内側部位に形成された長孔状のロック装置挿入溝と、このロック装置挿入溝の内側壁面にそれぞれスライド移動可能に取付けられた外側面に山形あるいはノコ歯状の噛み合い片を有するスライド部材と、このスライド部材の噛み合い片とそれぞれ噛み合う山形あるいはノコ歯状の噛み合い片が形成された前記ロック装置挿入溝内を外側方向にスライド移動して外側面が前記挟着片を外側方向に押し圧してメタルマスクの取付片を固定するスライド固定部材と、前記スライド部材をそれぞれ所定位置までスライド移動させて固定する少なくとも１個以上のロック装置とでメタルマスク印刷版を構成している。
【０００７】
【発明の実施の形態】
以下、図面に示す実施の形態により、本発明を詳細に説明する。
【０００８】
図１ないし図２４に示す本発明の第１の実施の形態において、１は本発明のメタルマスク印刷版で、このタメルマスク印刷版１はメタルマスク２と、このメタルマスク２を着脱可能に取付けることができる印刷版フレーム３とで構成されている。
【０００９】
前記メタルマスク２は図６に示すように、ステンレス板等で形成された印刷パターン４が形成され、四隅が除去された四角形状のメタルマスク本体５と、このメタルマスク本体５の外周辺をほぼ直角に下方へ折り曲げ形成された取付片６、６、６、６とで形成されている。
【００１０】
前記印刷版フレーム３は図７ないし図１１に示すようにアルミ、アルミ合金等の金属材で各枠辺が断面長方形状の四角枠状に形成された印刷版フレーム本体７と、この印刷版フレーム本体７の各枠片７ａ、７ｂ、７ｃ、７ｄに形成された長溝状の挟着片挿入溝８、８、８、８と、前記印刷版フレーム本体７の一方の縦枠辺７ａおよび横枠辺７ｂに形成された前記挟着片挿入溝８、８と連通するように内側部位に形成された長孔状のロック装置挿入溝９、９と、このロック装置挿入溝９、９が形成された部位の一方の挟着片挿入溝８、８にそれぞれ外側方向にスライド移動可能に挿入された、図１２に示すように内側下部より上方に突出する係止片１０が形成されるとともに、外側下部より上方に突出し、内側先端部に傾斜面１１が形成された挟着片１２を有するほぼ逆７字状の一方の挟着部材１３、この一方の挟着部材１３に支持される、外側下端部に傾斜面１４が形成された他方の挟着部材１５とからなる可動挟着具１６、１６と、前記他方の挟着片挿入溝８、８に挿入された、図１３に示すように外側下端部に傾斜面１７が形成された内側挟着片１８および内側先端部に傾斜面１９が形成された外側挟着片２０とからなる固定側挟着具２１、２１と、前記ロック装置挿入溝９、９の内側壁面９ａ、９ａにそれぞれスライド移動可能に取付けられた、図１４に示すような外側面に山形あるいはノコ歯状の噛み合い片２２、一端部にカムガイド部２３を有するスライド部材２４、２４と、図１５に示すようにこのスライド部材２４、２４の噛み合い片２２、２２とそれぞれ噛み合う山形あるいはノコ歯状の噛み合い片２５および前記可動挟着具１６、１６の係止片１０、１０と係止される係合片２６が形成された前記ロック装置挿入溝９内を外側方向にスライド移動するスライド固定部材２７、２７と、前記スライド部材２４、２４のカムガイド部２３、２３を除く前記挟着片挿入溝８、８、８およびロック装置挿入溝９の端部の上部を、図２および図５に示すようにビス２８、２８、２８、２８によって着脱可能に覆うカバー板２９、２９、２９、２９と、前記スライド部材２４、２４のカムガイド部２３、２３が位置する前記印刷版フレーム３部位に、図１６ないし図２０に示すように形成された凹部３０、３０の中央部に形成された軸孔３１、３１に回転可能に支持される支持軸３２、３２、この支持軸３２、３２の上部に偏心状態で一体形成された外周部に前記スライド部材２４、２４のカムガイド部２３、２３と係合するように形成されたカム３４、３４、このカム３４、３４の上部に前記支持軸３２、３２と同心状態で一体形成された中央部にレンチと係合する多角形状の凹部３３ａ、３３ａが形成された回動板３３、３３とからなるロック装置３５、３５と、このロック装置３５、３５を上部から操作できるように前記挟着片挿入溝８、８、ロック装置挿入溝９、９の端部の上部を、図１６に示すようにビス３６、３６、３６、３６によって着脱可能に覆うカバープレート３７、３７と、前記スライド部材２４、２４および前記スライド固定部材２７、２７の上部を該部材の移動を可能に覆うように前記ロック装置挿入溝９内に複数個の筒状の支持体４３を用いてビス４４によつて取付けられたカバー４５、４５とで構成されている。
【００１１】
上記構成のメタルマスク印刷版１は、図２１に示すようにロック装置３５、３５を非ロック状態に位置させ、可動挟着具１６、１６の挟着片１２、１２と他方の挟着部材１５、１５および固定側挟着具２１、２１の内側挟着片１８、１８と外側挟着片２０、２０との間にメタルマスク２の取付片６、６、６、６を挿入する。
【００１２】
しかる後、図２２に示すようにロック装置３５、３５のカム３４、３４を回動させて、スライド部材２４、２４をスライド移動させると、このスライド部材２４、２４の噛み合い片２２、２２と噛み合っているスライド固定部材２７、２７が外方へ押し付けられ、図２３および図２４に示すように可動挟着具１６、１６が外方へスライド移動してメタルマスク２に引張り力を加えるとともに、他方の挟着部材１５、１５も外方へ押し圧されてメタルマスク２の取付片６、６を強固に挟着固定することができる。
【００１３】
メタルマスク２を印刷版フレーム３より取り外す場合、ロック装置３５、３５の回動板３３、３３の凹部３３ａ、３３ａにレンチを挿入して回動させることによりカム３４、３４が回動し、スライド部材２４、２４を元の位置へスライド移動させることにより、可動挟着具１６、１６が内側方向へスライド移動し、メタルマスク２の取付片６、６、６、６の挟着状態がゆるみ、容易に取り外すことができる。なお、この場合ロック装置３５、３５の回動をスムーズに行うてためにカバープレート３７、３７を取付けているビス３６、３６、３６、３６をゆるめてもよい。
【００１４】
【発明の異なる実施の形態】
次に、図２５ないし図３６に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図２５ないし図２７に示す本発明の第２の実施の形態において、前記本発明の第１の実施の形態と主に異なる点は、押しピン３８、３８が形成されたスライド部材２４Ａ、２４Ａの押しピン３８、３８部位が印刷版フレーム３の一隅部に位置させるように配置するとともに、９０度部位に前記スライド部材２４Ａ、２４Ａの押しピン３８、３８を押し圧してスライド移動させるカム面３９、３９を有するカム３４Ａを使用したロック装置３５Ａを用いた点で、このように構成したメタルマスク印刷版１Ａにしても、前記本発明の第１の実施の形態と同様な作用効果が得られる。
【００１６】
図２８ないし図３０に示す本発明の第３の実施の形態において、前記本発明の第１の実施の形態と主に異なる点は、ロッド４０、４０が形成されたスライド部材２４Ｂ、２４Ｂを印刷版フレーム３に取付けたエアーあるいは油圧等のシリンダー装置４１、４１でスライド移動できるようにした点で、このように構成したメタルマスク印刷版１Ｂにしても、前記本発明の第１の実施の形態と同様な作用効果が得られる。
【００１７】
図３１ないし図３３に示す本発明の第４の実施の形態において、前記本発明の第３の実施の形態と主に異なる点は、スライド部材２４Ｂ、２４Ｂを電磁ソレノイド４２、４２でスライド移動できるようにした点で、このように構成したメタルマスク印刷版１Ｃにしても、前記本発明の第３の実施の形態と同様な作用効果が得られる。
【００１８】
図３４ないし図３６に示す本発明の第５の実施の形態において、前記本発明の第２の実施の形態と主に異なる点は、カム３４Ａを印刷版フレーム３に取付けたエアーあるいは油圧等のシリンダー装置４１で回動できるようにして、スライド部材２４Ａ、２４Ａをスライド移動できるようにした点で、このように構成したメタルマスク印刷版１Ｄにしても、前記本発明の第２の実施の形態と同様な作用効果が得られる。
【００１９】
なお、前記本発明の第３〜５の実施の実施の形態ではスライド部材２４Ｂ、２４Ｂあるいは２４Ａ、２４Ａを直接油圧等のシリンダー装置や電磁ソレノイドで作動させるものに付いて説明したが、これに限らず、スライド部材２４Ｂ、２４Ｂあるいは２４Ａ、２４Ａを移動させるカムを油圧等のシリンダー装置や電磁ソレノイドで回動させてもよい。
【００２０】
【発明の効果】
以上の説明から明らかなように、本発明にあっては次に列挙する効果が得られる。
【００２１】
（１）四角枠状に形成された印刷版フレームと、この印刷版フレームに着脱可能に取付けられる外周辺をほぼ直角に折り曲げ形成された取付片を有する印刷パターンが形成されたメタルマスクと、前記印刷版フレームの各枠辺に形成された前記メタルマスクの取付片が挿入固定される挟着片が挿入された長溝状の挟着片挿入溝と、前記印刷版フレームの一方の縦枠辺および横枠辺に形成された前記挟着片挿入溝と連通するように内側部位に形成された長孔状のロック装置挿入溝と、このロック装置挿入溝の内側壁面にそれぞれスライド移動可能に取付けられた外側面に山形あるいはノコ歯状の噛み合い片を有するスライド部材と、このスライド部材の噛み合い片とそれぞれ噛み合う山形あるいはノコ歯状の噛み合い片が形成された前記ロック装置挿入溝内を外側方向にスライド移動して外側面が前記挟着片を外側方向に押し圧してメタルマスクの取付片を固定するスライド固定部材と、前記スライド部材をそれぞれ所定位置までスライド移動させて固定する少なくとも１個以上のロック装置とで構成されているので、メタルマスクを容易に引張り状態で印刷版フレームに取付けて使用することができる。
したがって、メタルマスクの印刷版フレームへの取付け、取り外しが容易で、気軽に短時間に行なうことができる。
【００２２】
（２）前記（１）によって、メタルマスクの印刷版フレームの着脱を印刷現場でできるので、メタルマスク印刷版を製造するメーカーはメタルマスクだけ製造して印刷メーカーへ届けるだけでよく、従来のように重くてかさばる印刷版フレームにメタルマスクを取付けて輸送することなく、輸送コストの低減を図ることができる。
【００２３】
（３）前記（１）によって、ロック装置によってスライド部材をスライド移動させるだけでメタルマスクの一方の取付片を挟着して外方へ押し圧状態で固定することができるので、楽に、短時間にメタルマスクを引張り状態で、印刷版フレームに取付けることができる。
【００２４】
（４）前記（１）によって、メタルマスクは外周辺をほぼ直角に折り曲げたものを使用することができるので、加工が容易で、容易に高寸法に形成することができる。
【００２５】
（５）請求項２も前記（１）〜（４）と同様な効果が得られる。
【００２６】
（６）請求項３も前記（１）〜（４）と同様な効果が得られるとともに、メタルマスクのロック、ロック解除をロック装置によって、自動的に行なうことができる。
【図面の簡単な説明】
【図１】本発明の第１の実施の形態の分解斜視図。
【図２】本発明の第１の実施の形態の平面図。
【図３】図２の３−３線に沿う拡大断面図。
【図４】図２の４−４線に沿う拡大断面図。
【図５】図２の５−５線に沿う拡大断面図。
【図６】本発明の第１の実施の形態のメタルマスクの説明図。
【図７】本発明の第１の実施の形態の印刷版フレーム本体の説明図。
【図８】図７の８−８線に沿う拡大断面図。
【図９】図７の９−９線に沿う拡大断面図。
【図１０】図７の１０−１０線に沿う拡大断面図。
【図１１】図７の１１−１１線に沿う拡大断面図。
【図１２】本発明の第１の実施の形態の可動挟着具の説明図。
【図１３】本発明の第１の実施の形態の固定挟着具の説明図。
【図１４】本発明の第１の実施の形態のスライド部材の説明図。
【図１５】本発明の第１の実施の形態のスライド固定部材の説明図。
【図１６】本発明の第１の実施の形態のカバー板の取付け順を示す説明図。
【図１７】本発明の第１の実施の形態のカバーの説明図。
【図１８】本発明の第１の実施の形態のロック装置の平面図。
【図１９】本発明の第１の実施の形態のロック装置の断面図。
【図２０】本発明の第１の実施の形態のカバープレートを外した状態の説明図。
【図２１】本発明の第１の実施の形態のカバープレートの取付け状態の説明図。
【図２２】本発明の第１の実施の形態の非ロック状態の説明図。
【図２３】ロック状態のスライド部材の動作説明図。
【図２４】ロック状態の可動挟着具の動作説明図。
【図２５】本発明の第２の実施の形態の分解斜視図。
【図２６】本発明の第２の実施の形態の平面図。
【図２７】本発明の第２の実施の形態の要部説明図。
【図２８】本発明の第３の実施の形態の分解斜視図。
【図２９】本発明の第３の実施の形態の平面図。
【図３０】本発明の第３の実施の形態の要部説明図。
【図３１】本発明の第４の実施の形態の分解斜視図。
【図３２】本発明の第４の実施の形態の平面図。
【図３３】本発明の第４の実施の形態の要部説明図。
【図３４】本発明の第５の実施の形態の分解斜視図。
【図３５】本発明の第５の実施の形態の平面図。
【図３６】本発明の第５の実施の形態の要部説明図。
【符号の説明】
１、１Ａ、１Ｂ、１Ｃ、１Ｄ：メタルマスク印刷版、
２：メタルマスク、      ３：印刷版フレーム、
４：印刷パターン、      ５：メタルマスク本体、
６：取付片、            ７：印刷版フレーム本体、
８：挟着片挿入溝、      ９：ロック装置挿入溝、
１０：係止片、          １１：傾斜面、
１２：挟着片、          １３：一方の挟着部材、
１４：傾斜面、          １５：他方の挟着部材、
１６：可動挟着具、      １７：傾斜面、
１８：内側挟着片、      １９：傾斜面、
２０：外側挟着片、      ２１：固定側挟着具、
２２：噛み合い片、      ２３：カムガイド部、
２４、２４Ａ、２４Ｂ：スライド部材、
２５：噛み合い片、      ２６：係合片、
２７：スライド固定部材、２８：ビス、
２９：カバー板、        ３０：凹部、
３１：軸孔、            ３２：支持軸、
３３：回動板、          ３４、３４Ａ：カム、
３５、３５Ａ：ロック装置、
３６：ビス、            ３７：カバープレート、
３８：押しピン、        ３９：カム面、
４０：ロッド、          ４１：シリンダー装置、
４２：電磁ソレノイド、  ４３：支持体、
４４：ビス、            ４５：カバー。
【図１】
0003970419.tif 000002
【図２】
0003970419.tif 000003
【図３】
0003970419.tif 000004
【図４】
0003970419.tif 000005
【図５】
0003970419.tif 000006
【図６】
0003970419.tif 000007
【図７】
0003970419.tif 000008
【図８】
0003970419.tif 000009
【図９】
0003970419.tif 000010
【図１０】
0003970419.tif 000011
【図１１】
0003970419.tif 000012
【図１２】
0003970419.tif 000013
【図１３】
0003970419.tif 000014
【図１４】
0003970419.tif 000015
【図１５】
0003970419.tif 000016
【図１６】
0003970419.tif 000017
【図１７】
0003970419.tif 000018
【図１８】
0003970419.tif 000019
【図１９】
0003970419.tif 000020
【図２０】
0003970419.tif 000021
【図２１】
0003970419.tif 000022
【図２２】
0003970419.tif 000023
【図２３】
0003970419.tif 000024
【図２４】
0003970419.tif 000025
【図２５】
0003970419.tif 000026
【図２６】
0003970419.tif 000027
【図２７】
0003970419.tif 000028
【図２８】
0003970419.tif 000029
【図２９】
0003970419.tif 000030
【図３０】
0003970419.tif 000031
【図３１】
0003970419.tif 000032
【図３２】
0003970419.tif 000033
【図３３】
0003970419.tif 000034
【図３４】
0003970419.tif 000035
【図３５】
0003970419.tif 000036
【図３６】
0003970419.tif 000037